(57)【要約】【課題】男女を問わず使用でき、着衣者は、和服，洋服は勿論のこと、最も単純なＴシャツを始め、自分の体形を最も美しく表現できるようにした身体補正用インナーシャツの提供。【解決手段】内シャツ片Ａと外シャツ片Ｂの重ね合わせで構成される内外二重のインナーシャツ主体１と、前記内シャツ片Ａと外シャツ片Ｂの重ね合わせ部２内に、前記内外二重のインナーシャツ主体１の挿入口３より挿入させて、内外二重のインナーシャツ主体１の前記重ね合わせ部２内に移動可能で弾性的に固定できる伸縮自在の複数のパッド部材４とより成り、着用者の身体の補正箇所に、パッド部材４を固定させて使用できるようにして成ることを特徴とする身体補正用インナーシャツ。【選択図】図４
2014173205.tif 000002
【特許請求の範囲】
【請求項１】
内シャツ片と外シャツ片の重ね合わせで構成される内外二重のインナーシャツ主体と、前記内シャツ片と外シャツ片の重ね合わせ部内に、前記内外二重のインナーシャツ主体の挿入口より挿入させて、内外二重のインナーシャツ主体の前記重ね合わせ部内に移動可能で弾性的に固定できる伸縮自在の複数のパッド部材とより成り、着用者の身体の補正箇所に、パッド部材を固定させて使用できるようにして成ることを特徴とする身体補正用インナーシャツ。
【請求項２】
内外二重のインナーシャツ主体の内シャツ片及び外シャツ片は、伸縮自在の薄地で形成されて成ることを特徴とする請求項１記載の身体補正用インナーシャツ。
【請求項３】
内外二重のインナーシャツ主体の挿入口は、内シャツ片及び外シャツ片の結束部以外であることを特徴とする請求項１記載の身体補正用インナーシャツ。
【請求項４】
内外二重のインナーシャツ主体に挿入される伸縮自在のパッド部材は、平面形状で三角形，円形，楕円形などの何れかであって、果実，花，ハートなどの図案化された応用例の何れかであることを特徴とする請求項１記載の身体補正用インナーシャツ。
【発明の詳細な説明】
【技術分野】
【０００１】
本発明は、着衣状態を最適な体形に表現可能な身体補正用インナーシャツに関する。
【背景技術】
【０００２】
和服を着用する場合、和服姿を美しく装うために下衣の一部に袋状部を設け、この袋状部にパッドを挿入して膨出部を形成して乳がんなどの疾病で切除欠損した乳胸部の凹陥部内に当接させて、体形を正常状態に補正したり、または胴回りの部分的に痩身状態に膨らみを持たせて、着衣した和服に不自然な「皺」を無くすようにした補正下衣が知られている（例えば、特許文献１参照）。
【０００３】
さらに、ゴムを縫い付けてギャザーを形成したり、補正パッドを取り付けるために面ファスナーを設けて着脱自在とした和服下着も知られている（例えば、特許文献２参照）。
【先行技術文献】
【特許文献】
【０００４】
【特許文献１】登録実用新案第３０４９２０８号公報
【特許文献２】登録実用新案第３１０７８４３号公報
【発明の概要】
【発明が解決しようとする課題】
【０００５】
上記した従来技術は、和服の下に被着する下着であっても、膨出箇所は予め特定箇所の袋状部内に膨出用のパッドを充填しており、その目的に適合する着用者にのみ有効であり、その目的に適合しない人には利用できないという不都合は避けられない。
【０００６】
また、袋状部は予め下着に縫製して置かなければならないので不便であり、生産提供に多くの手間がかかるという不都合が無視できない。
【０００７】
さらに、面ファスナーとかゴムを用いたギャザーなどを設けなければならないのでコスト高となり、安価に提供できないという不都合も考えられる。
【０００８】
さらに、之等の従来技術は、専ら和服用の下着を対象としており、しかも多くは婦人用であると共に、洋服や男性用の和服は殆ど全く配慮されていない。
【０００９】
本発明は、叙上の点に着目して成されたもので、男女を問わず使用でき、着衣者は、和服，洋服は勿論のこと、最も単純なＴシャツを始め、自分の体形を最も美しく表現できるようにした身体補正用インナーシャツを提供することを目的とする。
【課題を解決するための手段】
【００１０】
この発明は下記の構成を備えることにより上記課題を解決できるものである。
【００１１】
（１）内シャツ片と外シャツ片の重ね合わせで構成される内外二重のインナーシャツ主体と、前記内シャツ片と外シャツ片の重ね合わせ部内に、前記内外二重のインナーシャツ主体の挿入口より挿入させて、内外二重のインナーシャツ主体の前記重ね合わせ部内に移動可能で弾性的に固定できる伸縮自在の複数のパッド部材とより成り、着用者の身体の補正箇所に、パッド部材を固定させて使用できるようにして成ることを特徴とする身体補正用インナーシャツ。
【００１２】
（２）内外二重のインナーシャツ主体の内シャツ片及び外シャツ片は、伸縮自在の薄地で形成されて成ることを特徴とする前記（１）記載の身体補正用インナーシャツ。
【００１３】
（３）内外二重のインナーシャツ主体の挿入口は、内シャツ片及び外シャツ片の結束部以外であることを特徴とする前記（１）記載の身体補正用インナーシャツ。
【００１４】
（４）内外二重のインナーシャツ主体に挿入される伸縮自在のパッド部材は、平面形状で三角形，円形，楕円形などの何れかであって、果実，花，ハートなどの図案化された応用例の何れかであることを特徴とする前記（１）記載の身体補正用インナーシャツ。
【発明の効果】
【００１５】
本発明によれば、身体補正用インナーシャツであるので、使用者はインナーシャツ主体を直接又は下着を介して間接に被服でき、使用者の身体の補正箇所、例えば、婦人であれば乳がんなどで切除した凹陥部乳胸に相当する箇所に、パッド部材を当接するために、内外二重のインナーシャツ主体間を自由に移動させて、位置決め後は着用時の伸縮自在の機能の働きで確固に固定でき、男性の場合は、胸部の筋肉を補正して強固な体躯を表現したい場合にも同様にパッド部材を内外二重のインナーシャツ主体の重ね合わせ部内で移動固定させて形成できる。
【００１６】
また、和服の着用に重要な胸部の膨らみを補正する場合にも、内外二重のインナーシャツ主体の重ね合わせ部内に挿通させたパッド部材を、好みの位置まで移動させて、最適な身体補正を可能とすると共に、ウエスト部分の細腹部を補正する場合にも、内外二重のインナーシャツ主体内に複数のパッド部材を挿入当接させ、和服着用に好適な体形を作り出すことができる。
【００１７】
さらに本発明によれば、健常者は勿論のこと、身体を損傷した病人や障害者に対しても、身体の変形異常個所を補正するものとして、必要な数だけのパッド部材を移動当接させて、着衣時には健常者に等しい状態に自然な装飾に身障者であることを意識することなく楽しく社交活動を行わせることが可能である。
【００１８】
さらに又、本発明によれば、インナーシャツ主体は、内外二重の内シャツ片及び外シャツ片自体に伸縮自在に形成してあるので、同一サイズのインナーシャツ主体で、Ｌサイズ，Ｍサイズ並びにＳサイズとし、特に男女共同ものとして提供できる。
【図面の簡単な説明】
【００１９】
【図１】本発明に係る身体補正用インナーシャツに係る内外二重のインナーシャツ主体の一実施例を示すもので、内シャツ片と外シャツ片を分離した状態の平面図と両シャツ片を内外一体に組み込んだ状態の一部切欠平面図
【図２】（ａ），（ｂ），（ｃ）  パッド部材の基本形状の数例を示す平面的に見た説明図
【図３】同上のパッド部材の基本形態の拡大断面図
【図４】本発明に係る身体補正用インナーシャツの一実施例の一部切欠した平面図
【図５】婦人用和服を着用する場合の本発明の身体補正用インナーシャツの不使用例と使用例を示す図であって、（ａ）は本発明の身体補正用インナーシャツを着用しない不使用例で長襦袢を着衣した際の縦皺などの問題のある不適切な着衣状態を示す正面図、（ｂ）は（ａ）の不適切な状態を改善するための本発明の身体補正用インナーシャツを着衣する使用状態を示す正面図、（ｃ）は（ｂ）の本発明の身体補正用インナーシャツの使用時の長襦袢着用時の適正な着衣状態を示す正面図
【図６】一つの乳胸を切除して胸部を欠損した人（主に婦人）のＴシャツを着衣する際の本発明に係る身体補正用インナーシャツの不使用例と使用例を示す図であって、（ａ）は本発明に係る身体補正用インナーシャツを着用しない不使用状態でＴシャツを着衣した際の不規則な皺模様が見受けられる正面図、（ｂ）は本発明に係る身体補正用インナーシャツを着衣する使用状態の正面図、（ｃ）は（ｂ）の本発明に係る身体補正用インナーシャツを着衣してＴシャツを着衣した改善された着衣状態の平面図
【発明を実施するための形態】
【００２０】
以下に、本発明の実施例を図面と共に説明する。
【実施例】
【００２１】
１は、ランニングシャツ又はタンクトップなどの形状を有する内外二重の同形同大の内シャツ片Ａと外シャツ片Ｂとより成る内外二重のインナーシャツ主体を示し（図示ではタンクトップタイプを示す）、薄地の繊維材料で形成され、あらゆる方向に伸縮自在である。
【００２２】
具体的には伸縮率に関しては１．５〜３倍の生地を用いている。
【００２３】
２は、内外二重のインナーシャツ主体１の重ね合わせ部、３は、インナーシャツ主体１の前記重ね合わせ部２に通ずる挿入口を示し、インナーシャツ主体１の首挿通孔部１ａ、腕挿通孔部１ｂ，１ｂ及び胴挿通孔部１ｃを形成できる内シャツ片Ａ及び外シャツ片Ｂの端縁の結束部Ｘ以外の非結束部Ｙを両内外シャツ片Ａ，Ｂの間の重ね合わせ部２に通じる挿入口としている。
【００２４】
図示では、結束部Ｘを、両肩当端部１α，１α、腕挿通孔部１ｂ，１ｂの下端開口近傍部１β，１β及び胴挿通孔部１ｃの両側の開口近傍部１γ，１γに縫糸止めによって処理している。
【００２５】
従って、上記縫糸止め以外の非結束部Ｙは、首挿通孔部１ａ，腕挿通孔部１ｂ，１ｂ及び胴挿通孔部１ｃを構成する内シャツ片Ａ，外シャツ片Ｂの端面を、挿入口３として形成している。
【００２６】
４は、パッド部材であって、図２に示すような（ａ）三角形，（ｂ）円形，（ｃ）楕円形などの外形に擬して、果実，花などとか、人間の身体の一部である心臓（ハート），口唇などとか、或は巻貝，桜花など好みの各種部材で外形が形成され、内部にゴム，スポンジ，プラスチック，綿布，羽毛などの弾性復元性材料４ａを充填させてあり、前記挿入口２より内外シャツ片Ａ，Ｂの間に必要数挿入させて好みの補正した膨出形状を使用者が作り出すことができる。
【００２７】
叙上の構成に基づいて作用を説明する。
【００２８】
胸部など、身体の一部に欠損のある人たちにはその欠損の補正箇所、又は、和服を着装する人には、着装時の衣服の縦皺や痩身な状態を無くするために、本発明に係る身体補正用インナーシャツの内外二重のインナーシャツ主体１を着る。
【００２９】
このインナーシャツ主体１は下衣の上でも、下衣なく直接素肌に着衣しても差支えない。
【００３０】
ついで女性の場合、乳がんなどで乳胸部を摘出切除した場合は、その切除で欠損した胸部の左，右の乳部補正箇所に、例えばハート型のパッド部材４を挿入口３より簡単に重ね合わせ部２内に挿入し、着衣状態の補正箇所に臨ませ、膨らみを形成させることができる。
【００３１】
この状態では、重ね合わせ部２は内シャツ片Ａと外シャツ片Ｂは弾性的にパッド部材４を挟持しているので、身体の運動動作によってずれることなく、常時補正箇所にパッド部材４を位置させているので、和洋何れの着衣でも通常の人と同様に装いをすることできる。従って、着衣者は気持ちよく楽しく行動できる。
【００３２】
また、通常の健常者による婦人用和服の場合、左右の胸部並びに胴廻り部に、図５に示すように好みのパッド部材４を選んで重ね合わせ部２内に必要数挿入して固定させれば、長襦袢５を着ても多くの縦皺Ｐの発生が無くなり、その上に図示しないが装う高額な着物を、いとも綺麗にしかも簡単に着衣でき、高価な専門家の手を介する着付けを要することなく着衣できる。
【００３３】
また、婦人が病気で胸を切除して既成品のＴシャツ６を着用する場合にも、図６に示すように、欠落箇所にパッド部材４を当接させて正常な状態で着衣できる。
【００３４】
以上、主として女性用の着衣について説明したが、男性用として筋肉質タイプに身体を補正したい場合には、胸部の筋肉を誇張的に大きくしたい箇所に、好みの厚みを有するパッド部材４を両胸部の挿入口３より挿入することにより、身体の強化を外部に示すこともできる。
【００３５】
以上、本発明について、代表的な使用態様を説明したが、インナーシャツ主体１を形成する内シャツ片Ａ及び外シャツ片Ｂの形状について、実施例では同一サイズとして示したが、必要に応じて内シャツ片Ａの大きさを外シャツ片Ｂに比し、稍々小さい目に裁断して内外重ね合わせ形状を作り易くすることも可能である。
【符号の説明】
【００３６】
１    インナーシャツ主体
１ａ  首挿通孔部
１ｂ  腕挿通孔部
１ｃ  胴挿通孔部
１α  両肩当端部
１β  下端開口近傍部
１γ  両側の開口近傍部
２    重ね合わせ部
３    挿入口
４    パッド部材
４ａ  弾性復元性材料
５    長襦袢
６    Ｔシャツ
Ａ    内シャツ片
Ｂ    外シャツ片
Ｘ    結束部
Ｙ    非結束部
Ｐ    縦皺
【図１】
2014173205.tif 000003
【図２】
2014173205.tif 000004
【図３】
2014173205.tif 000005
【図４】
2014173205.tif 000006
【図５】
2014173205.tif 000007
【図６】
2014173205.tif 000008